(57)【要約】【課題】居住者が乗りかごを居住階に呼ぶだけで、無駄な時間を費やすことなく効率よく生ごみや紙くずなどの廃棄物を処分することができる集合住宅用エレベータを提供する。【解決手段】集合住宅建物の昇降路１内に昇降可能に設けられた乗りかご２と、乗りかご２に設けられ、廃棄物の収納が可能な廃棄物収納ボックス２０と、廃棄物収納ボックス２０内に収納された廃棄物を外部に投棄することが可能な廃棄物投棄手段と、廃棄物収納ボックス２０内に収納された廃棄物の量を検出する廃棄物量検出手段と、昇降路１の上下方向の一部に設けられた廃棄物回収エリア３８とを具備し、廃棄物収納ボックス２０内に廃棄物が収納され、その廃棄物の量が廃棄物量検出手段により所定量に達したと検出されたときに、乗りかご２を昇降路１の廃棄物回収エリア３８に移動させるとともに、廃棄物投棄手段を駆動して廃棄物回収エリア３８に投棄する。【選択図】      図１
2009155093.tif 000002
【特許請求の範囲】
【請求項１】
集合住宅建物の昇降路内に昇降可能に設けられた乗りかごと、
前記乗りかごに設けられ、廃棄物の収納が可能な廃棄物収納部と、
前記廃棄物収納部に収納された廃棄物を外部に投棄することが可能な廃棄物投棄手段と、
前記廃棄物収納部に収納された廃棄物の量を検出する廃棄物量検出手段と、
前記昇降路の上下方向の一部に設けられた廃棄物回収エリアと、
前記廃棄物収納部内に収納された廃棄物の量が前記廃棄物量検出手段により所定量であると検出されたときに、乗りかごを前記昇降路の廃棄物回収エリアに移動させるとともに、前記廃棄物投棄手段を駆動して前記廃棄物回収エリアに投棄させるように制御する制御手段と、
を具備することを特徴とする集合住宅用エレベータ。
【請求項２】
前記昇降路の廃棄物回収エリアには、前記廃棄物投棄手段により投棄された廃棄物を受け入れる回収ケースが設けられていることを特徴とする請求項１に記載の集合住宅用エレベータ。
【請求項３】
前記乗りかごには、前記廃棄物収納部内の臭気を脱臭する脱臭装置が設けられていることを特徴とする請求項１または２に記載の集合住宅用エレベータ。
【請求項４】
前記乗りかごには、乗りかご内の臭気を脱臭する脱臭装置が設けられていることを特徴とする請求項１、２または３に記載の集合住宅用エレベータ。
【発明の詳細な説明】
【技術分野】
【０００１】
この発明は、マンションなどのような集合住宅建物に設けられる集合住宅用エレベータに関する。
【背景技術】
【０００２】
マンションなどのような集合住宅建物においては、居住者が利用するエレベータが設置されているが、そのエレベータは単に居住者が建物内を上下に移動する移動手段として利用されているに過ぎない。
ただ、エレベータの乗りかごに、エレベータの保守点検時に使用する保守点検用品を格納するための収容箱を設けるようなことについては、特開２００６−２２５０４９公報に開示されている。
【特許文献１】特開平１１−３４９２５８号公報
【発明の開示】
【発明が解決しようとする課題】
【０００３】
集合住宅建物において、各居住者の家庭から出る生ごみや紙くずなどの廃棄物の廃棄処理について考察すると、まず廃棄物を持って居住者がエレベータホールまで行き、エレベータのかご呼びを行ない、かごが到着した後にそのかごに乗って例えば１階のエントランスホールまで移動し、そのエントランスホールに設置されている、あるいはエントランスホールの外に設置されている廃棄部に廃棄し、さらにこの後、１階のエレベータホールに戻り、再度エレベータホールでかご呼びを行ない、かごが到着した後にそのかごに乗って居住階にまで戻るという手間のかかる作業となる。
特に超高層の集合住宅建物では、居住者が廃棄物の廃棄のために乗りかごに乗って移動する時間だけでも相当長い時間を要し、無駄な時間を費やしてしまうことになる。
この発明はこのような点に着目してなされたもので、その目的とするところは、居住者が乗りかごを居住階に呼ぶだけで、無駄な時間を費やすことなく効率よく廃棄物を処分することができる集合住宅用エレベータを提供することにある。
【課題を解決するための手段】
【０００４】
請求項１の発明は、集合住宅建物の昇降路内に昇降可能に設けられた乗りかごと、
前記乗りかごに設けられ、廃棄物の収納が可能な廃棄物収納部と、前記廃棄物収納部に収納された廃棄物を外部に投棄することが可能な廃棄物投棄手段と、前記廃棄物収納部に収納された廃棄物の量を検出する廃棄物量検出手段と、前記昇降路の上下方向の一部に設けられた廃棄物回収エリアと、前記廃棄物収納部内に収納された廃棄物の量が前記廃棄物量検出手段により所定量であると検出されたときに、乗りかごを前記昇降路の廃棄物回収エリアに移動させるとともに、前記廃棄物投棄手段を駆動して前記廃棄物回収エリアに投棄させるように制御する制御手段とを具備することを特徴としている。
【０００５】
請求項２の発明は、前記昇降路の廃棄物回収エリアに、前記廃棄物投棄手段により投棄された廃棄物を受け入れる回収ケースが設けられていることを特徴としている。
【０００６】
請求項３の発明は、前記乗りかごに、前記廃棄物収納部内の臭気を脱臭する脱臭装置が設けられていることを特徴としている。
【０００７】
請求項４の発明は、前記乗りかごに、乗りかご内の臭気を脱臭する脱臭装置が設けられていることを特徴としている。
【発明の効果】
【０００８】
この発明によれば、居住者が乗りかごを居住階に呼ぶだけで、無駄な時間を費やすことなく効率よく廃棄物を処分することができる。
【発明を実施するための最良の形態】
【０００９】
以下、この発明の実施の形態について図面を参照して説明する。
【００１０】
図１〜図５にはこの発明の第１の実施形態を示してある。図１に示すように、マンションなどの集合住宅の建物には昇降路１が形成され、この昇降路１内に乗りかご２が昇降可能に設けられている。図２には乗りかご２の側面から見た断面図を、図３には同じく正面から見た断面図をそれぞれ示してあり、乗りかご２は前面に出入口３を有し、この出入口３にその開閉用のドア装置４が設けられている。
乗りかご２の背部には、乗りかご２内に担架や棺などのような長尺物を乗せるときに使用するトランク１０が設けられている。このトランク１０は、乗りかご２の背面側下部に設けられ、前面の開口部１１を通して乗りかご２内に通じ、その開口部１１にトランク扉１２が設けられている。トランク扉１２は、ヒンジ１３を介して開口部１１の縁部に回動可能に取り付けられた開き戸式に構成されている。
さらに乗りかご２の背部には、廃棄物収納部としての廃棄物収納ボックス２０が設けられている。この廃棄物収納ボックス２０は抗菌材で構成され、乗りかご２の背面側の上部すなわち前記トランク１０の上方の空きスペースの部分に設けられている。
【００１１】
この廃棄物収納ボックス２０は、前面の開口部２１を通して乗りかご２内に通じ、その開口部２１に廃棄扉２２が設けられている。この廃棄扉２２は、ヒンジ２３を介して開口部２１の縁部に回動可能に取り付けられた開き戸式に構成されている。そしてこの廃棄扉２２の開閉を検出する検出センサ２５が廃棄物収納ボックス２０内に設けられている。なお、２６は廃棄扉２２に取り付けられた取っ手である。
廃棄物収納ボックス２０の背面は開放され、その開放部２８に可動式の背面板２９が設けられている。この背面板２９は下端部がヒンジ機構３０を介して回動可能に支持されている。ヒンジ機構３０にはモータ３１が組み込まれ、このモータ３１により背面板２９がほぼ垂直に起立して廃棄物収納ボックス２０の開放部２８を閉塞する状態からヒンジ機構３０を中心に乗りかご２の後方側に回動して斜め下方に傾斜する状態に動作し、またその傾斜状態からヒンジ機構３０を中心に逆方向に回動して廃棄物収納ボックス２０の開放部２８を閉塞する状態に戻るように制御されるようになっている。
廃棄物収納ボックス２０の底部には可動式の底板３４が水平に設けられている。この底板３４は一端縁がヒンジ機構３５を介して回動可能に支持されている。ヒンジ機構３５にはモータ３６が組み込まれ、このモータ３６により底板３４が水平状態からヒンジ機構３５を中心に上方に回動して廃棄物収納ボックス２０の開放部２８に向けて斜め下方に傾斜するように動作し、またその傾斜状態からヒンジ機構３５を中心に逆方向に回動して水平状態に戻るように制御されるようになっている。そして廃棄物収納ボックス２０の底部には、水平状態の底板３４に加わる荷重を検出する廃棄物量検出手段としての荷重センサ３７が設けられている。
図１に示すように、建物の所定の階、例えば１階には、昇降路１に通じる廃棄物回収エリア３８が設けられ、この廃棄物回収エリア３８に廃棄物回収ケース３９が設置されている。そして昇降路１内で昇降する乗りかご２が１階に移動して停止したときに、廃棄物収納ボックス２０が廃棄物回収ケース３９の斜め上方の位置に配置するようになっている。
一方、建物の各階のエレベータホールには、図４に示すようにエレベータ乗場口４０が設けられている。この乗場口４０には開閉用の乗場ドア装置４１が備えられ、またこの乗場口４０の側方部には操作盤４２が設けられ、この操作盤４２にかご呼びボタン４３が配設されている。さらに乗場口４０の上方部には例えば電光式の表示装置４４が設けられている。
乗りかご２の運転やかごドア装置４、乗場ドア装置４１などは、昇降路１内あるいは昇降路１の上部の機械室に設けられた図１に示す制御手段としての制御盤５０により制御される。そしてこの制御盤５０に前記検出センサ２５、モータ３１，３６、荷重センサ３７、表示装置４４などが接続されている。
次に、このエレベータの作用について説明する。
建物の居住者が廃棄物を処分する際には、まずその廃棄物を入れた袋を持ってエレベータ乗場口４０まで行き、かご呼びボタン４３を操作する。これに応じて前記エレベータ乗場口４０に乗りかご２が到達して停止し、かごドア装置４及び乗場ドア装置４１が連動して開く。そして居住者が乗りかご２内に乗り込み、廃棄物収納ボックス２０の廃棄扉２２を開き、廃棄物収納ボックス２０内に廃棄物を収納し、再度廃棄扉２２を閉じ、乗りかご２から降りる。
廃棄扉２２が開かれたときには、それが検出センサ２５により検出され、その信号が制御盤５０に送られ、この制御盤５０による制御で前記かごドア装置４及び乗場ドア装置４１の開放状態が維持される。そして廃棄扉２２が閉じられた後の所定時間経過後に制御盤５０の制御によりかごドア装置４及び乗場ドア装置４１が閉合され、乗りかご２が次の目的階への移動を待機する。すなわち、居住者が乗りかご２に乗り込んで廃棄物収納ボックス２０内に廃棄物を収納し、さらに廃棄扉２２を閉じて乗りかご２から降りるまではかごドア装置４及び乗場ドア装置４１が閉じたり乗りかご２が移動するようなことがない。
また、検出センサ２５により廃棄扉２２の開放が検出されているときには、制御盤５０の制御で各階のエレベータ乗場口４０における表示装置４４に、図４に示すように例えば『ごみ排出運転中』という情報が点灯表示される。したがって、他の階でエレベータを待つ居住者がいる場合、その居住者が何故乗りかご２の到着が遅れるのかをその表示で認識することができる。
【００１２】
このような廃棄物処分の作業が他の階でも行なわれ、廃棄物収納ボックス２０内に所定量の廃棄物が収納されたときには、その廃棄物の量が荷重センサ３７により検出され、その信号が制御盤５０に送られ、この制御盤５０による制御で乗りかご２が図１に鎖線で示すように、廃棄物回収エリア３８まで移動して停止する。そしてこの位置において、図５に示すように、モータ３１が駆動され、このモータ３１により廃棄物収納ボックス２０の背面板２９が起立状態から後方側に回動して廃棄物回収ケース３９に向けて斜め下方に傾斜する。引き続き、モータ３６が駆動され、このモータ３６により底板３４が水平状態からヒンジ機構３５を中心に上方側に回動し、この回動で底板３４の上の廃棄物が廃棄物収納ボックス２０の背面の開放部２８から前記斜めに傾斜した背面板２９を通して廃棄物回収ケース３９内に投棄される。
この後、モータ３６の逆転動作で底板３４が元の水平状態に戻るとともに、モータ３１の逆転動作で背面板２９が元の起立状態に戻る。なお、この廃棄物投棄動作中においても、各階のエレベータ乗場口４０における表示装置４４に例えば『ごみ排出運転中』という情報が点灯表示される。また、前記回収ケース３９内に投棄された廃棄物は、その後に所定の業者などにより所定の廃棄物処理施設などに搬送されて処理される。
【００１３】
以上の説明は、居住者が廃棄扉２２を操作して廃棄物を処分するときのエレベータの動作の流れであるが、廃棄扉２２を操作しない通常のときには、エレベータは通常一般の運転状況で運行される。
【００１４】
このように、この発明の実施形態に係るエレベータによれば、居住者が廃棄物を処分するときに、その居住者の居住階に乗りかご２を呼び、その乗りかご２の廃棄物収納ボックス２０内に廃棄物を収納するだけでよく、いちいちエレベータで１階まで降りて処分し、その後再度エレベータで居住階にまで戻るような手間をかけることなく、効率よく処分することができる。
また、廃棄物収納ボックス２０は、トランク１０の上方の空きスペースを利用して設置してあり、したがって専用のスペースを確保する必要がなく、既存のエレベータにおいても容易に設置することが可能である。
図６には第２の実施形態を示してあり、この実施形態においては、廃棄物収納ボックス２０の上部に消臭装置５５が設けられている。この消臭装置５５は消臭フィルタ５６と循環用ファン５７とを備え、循環用ファン５７により廃棄物収納ボックス２０内の空気を消臭フィルタ５６を通して循環させる構成となっている。
【００１５】
この消臭装置５５は、廃棄物収納ボックス２０内に廃棄物が収納され、それが荷重センサ３７で検出されたときに運転される。そしてこの消臭装置５５の運転により廃棄物収納ボックス２０内の臭気が消臭フィルタ５６により吸収され、廃棄物収納ボックス２０内に異臭が漂うようなことが防止される。
図７には第３の実施形態を示してあり、この実施形態においては、前記消臭装置５５に加え、さらに乗りかご室内用の消臭装置６０が併設され、乗りかご２内に例えば電光式の表示装置６５が設けられている。かご室内用の消臭装置６０は消臭フィルタ６１と循環用ファン６２とを備え、循環用ファン６２により乗りかご２内の空気を消臭フィルタ６１を通して循環させる構成となっている。
【００１６】
この消臭装置６０は前記消臭装置５５と併せて、廃棄物収納ボックス２０内に廃棄物が収納され、それが荷重センサ３７で検出されたときに運転される。乗りかご２内には廃棄物収納ボックス２０内から漏れる臭気が漂うことがあるが、消臭装置６０の運転により乗りかご２内の臭気が消臭フィルタ６１により吸収され、したがって乗りかご２内に臭気が漂うような不都合が防止される。
消臭装置６０の運転中には、乗りかご２内の表示装置６５に例えば『消臭装置運転中』という情報が点灯表示され、乗りかご２内のエレベータ利用者にその旨が報知される。
【図面の簡単な説明】
【００１７】
【図１】この発明の第１の実施形態に係るエレベータの全体の構成を示す説明図。
【図２】そのエレベータの乗りかごの側面から見た断面図。
【図３】そのエレベータの乗りかごの正面から見た断面図。
【図４】そのエレベータの乗場口を示す正面図。
【図５】そのエレベータの作用を説明するための断面図。
【図６】この発明の第２の実施形態に係るエレベータの乗りかごを示す断面図。
【図７】この発明の第３の実施形態に係るエレベータの乗りかごを示す断面図。
【符号の説明】
【００１８】
１…昇降路
２…乗りかご
１０…トランク
２０…廃棄物収納ボックス
２２…廃棄扉
２５…検出センサ
２９…背面板
３０…ヒンジ機構
３１…モータ
３４…底板
３５…ヒンジ機構
３６…モータ
３７…荷重センサ
３８…廃棄物回収エリア
３９…廃棄物回収ケース
４０…エレベータ乗場口
５０…制御盤
５５…消臭装置
５６…消臭フィルタ
５７…循環用ファン
６０…消臭装置
６１…消臭フィルタ
６２…循環用ファン
【図１】
2009155093.tif 000003
【図２】
2009155093.tif 000004
【図３】
2009155093.tif 000005
【図４】
2009155093.tif 000006
【図５】
2009155093.tif 000007
【図６】
2009155093.tif 000008
【図７】
2009155093.tif 000009